(57)【要約】      （修正有）【課題】初期状態ではリュックタイプでありながら、第一袋部材により手提げ式のバッグに変形できる多変バッグを提供する。【解決手段】折り畳みやすい柔軟性材料から成るバッグ本体１を備え、その中央部から上方へと開放する第一開口部２が設けられ、第一開口部２の両辺には自在に開閉できる第一ファスナー３が設けられるバッグにおいて、第一ファスナー３はその正面に外側からファスナーを締める第一外スライダー引手３１が設けられ、その反面に内側からファスナーを締める第一内スライダー引手が設けられる。バッグ本体１は第一ファスナー３により前幅と後ろ幅に区分され、前幅の下方には折り畳んだバッグ本体１を収納できる第一袋部材４が設けられ、第一袋部材４には横向きの第二開口部が設けられ、第二開口部４１の両辺には自在に開閉できる第二ファスナー４２が設けられる。【選択図】図１
0003182327.tif 000002
【実用新案登録請求の範囲】
【請求項１】
折り畳みやすい柔軟性材料から成るバッグ本体を備え、前記バッグ本体にはその中央部から上方へと開放する第一開口部が設けられ、前記第一開口部の両辺には前記第一開口部を自在に開閉できる第一ファスナーが設けられるバッグにおいて、
前記第一ファスナーはその正面に前記バッグ本体の外側からファスナーを締める第一外スライダー引手が設けられ、その反面に前記バッグ本体の内側からファスナーを締める第一内スライダー引手が設けられ、
前記バッグ本体は前記第一ファスナーにより前幅と後ろ幅に区分され、前記前幅の下方には折り畳んだ前記バッグ本体を収納できる第一袋部材が設けられ、前記第一袋部材には横向きの第二開口部が設けられ、前記第二開口部の両辺には前記第二開口部を自在に開閉できる第二ファスナーが設けられることを特徴とする多変バッグ。
【請求項２】
前記バッグ本体の内部では、前記第一開口部の両端の点を結ぶ直線からなる水平の基準線又はその基準線より低い位置に第一パイピングが横向きに設けられることを特徴とする請求項1に記載の多変バッグ。
【請求項３】
前記後ろ幅の内部には前記第一パイピングの下方に位置する第二袋部材が設けられることを特徴とする請求項2に記載の多変バッグ。
【請求項４】
前記第二袋部材の内側には袋フタが設けられ、前記バッグ本体の内部にはワンショルダーストラップが設けられ、前記ワンショルダーストラップの両端は接合部材により第一開口部の両端の点の下方に設けられることを特徴とする請求項3に記載の多変バッグ。
【請求項５】
前記前幅及び前記後ろ幅の内部にハンドルが設けられ、前記ハンドルは前記接合部材により前記第一パイピングの下方に設けられることを特徴とする請求項2乃至4のいずれか1項に記載の多変バッグ。
【請求項６】
前記柔軟性材料はナイロン又はテリレンであることを特徴とする請求項1乃至4のいずれか1項に記載の多変バッグ。
【請求項７】
前記柔軟性材料はナイロン又はテリレンであることを特徴とする請求項5に記載の多変バッグ。
【考案の詳細な説明】
【技術分野】
【０００１】
本考案は、バッグに関する。特に、多変バッグに関するものである。
【背景技術】
【０００２】
多くの人は短距離旅行又は出張の際にスーツケースの代わりによくリュックサックを使用する。このようなバッグは体積が大きいので、より多くの荷物を携帯できるものの、使用しない場合にはバッグの占めるスペースが大きい。また、通勤又は短距離の外出の場合にはよくワンショルダーバッグを持つ人が多い。このようなバッグは体積が小さくて手軽に使用できるので、人気が集まるが、体積が小さいため、旅行又は出張に向かないのである。さらに、女性が外出やショッピングや通勤などの日常生活の中で物の携帯に便利なハンドバックをよく使用する。
【考案の概要】
【考案が解決しようとする課題】
【０００３】
社会の発展につれて、人々がバッグに訴求する機能も増加していくため、上述の三種類のバッグでは適用性が単一であるので、日常生活、旅行などのニーズに同時に応えられないという問題が生じる。
【課題を解決するための手段】
【０００４】
そこで、本考案は、このような従来の問題点に鑑みなされたもので、多変バッグを提供することを目的とする。
【０００５】
前記問題点を解決でき、上記目的を達成するために、本考案の多変バッグは折り畳みやすい柔軟性材料から成るバッグ本体を備え、前記バッグ本体にはその中央部から上方へと開放する第一開口部が設けられ、前記第一開口部の両辺には前記第一開口部を自在に開閉できる第一ファスナーが設けられるバッグにおいて、
前記第一ファスナーはその正面に前記バッグ本体の外側からファスナーを締める第一外スライダー引手が設けられ、その反面に前記バッグ本体の内側からファスナーを締める第一内スライダー引手が設けられ、
前記バッグ本体は前記第一ファスナーにより前幅と後ろ幅に区分され、前記前幅の下方には折り畳んだ前記バッグ本体を収納できる第一袋部材が設けられ、前記第一袋部材には横向きの第二開口部が設けられ、前記第二開口部の両辺には前記第二開口部を自在に開閉できる第二ファスナーが設けられることを要旨とする。
【０００６】
本考案の多変バッグは、通常の状態で、初期状態のリュックタイプでありながら、このようなバッグは後ろ幅にリュックタイプストラップが設けられ、前記リュックタイプストラップは縫い糸により後ろ幅に固定される。同様に、前記第二ファスナーはその正面に前記第一袋部材の外側からファスナーを締める第二外スライダー引手が設けられ、その反面に前記第一袋部材の内側からファスナーを締める第二内スライダー引手が設けられる。
【０００７】
リュックタイプの多変バッグをハンドバッグに変形する過程は以下のようになる。まず、リュックタイプの前記バッグ本体を引っ繰り返し、前記後ろ幅を上に向け、前記バッグ本体の両側及び下端を折り畳むことで、前記バッグ本体のサイズを前記第一袋部材のサイズと一致するようにする。そして、前記第二開口部の両端を支点とし、前記バッグ本体の上部を折り畳んで下端と重ねあい、前記第二ファスナーを開き、前記第一袋部材の底部を下から上へと押し、前記第一袋部材の内張りを前記第一袋部材の袋口を通して外返して新たな表面に形成させる。前記第一袋部材は縫い糸により前記バッグ本体の底部に固定されるため、前記第一袋部材の底部を袋口に通すと、前記第一袋部材の元の表面が新たな内張りとなる。そして前記バッグ本体の底部も前記第一袋部材の底部に従って、前記バッグ本体が完全に前記第一袋部材の内部に陥るまで、前記第一袋部材の新たな内張りに陥る。最後に、前記第二開口部の上端を引っ繰り返すことで、前記第二ファスナーの前記第二内スライダー引手が新たな外スライダー引手となる。この時に、前記第一袋部材の内張りがハンドバッグの表面となり、また前記第二ファスナーを締めると良い。
【０００８】
本考案の多変バッグではさらにリュックタイプのバッグをワンショルダーバッグ又は手提げ式のバッグに変形できる。その変形過程は以下のようになる。まず、前記第一ファスナーを開き、前記第一開口部の両端を支点とし、バッグ本体の前記前幅の上部を前記前幅の下部へと折り畳むことで、前記前幅の上部と下部を重ね合わせる。そして、前記後ろ幅の上部を前記後ろ幅の下部へと折り畳むことで、前記後ろ幅の上部と下部を重ね合わせる。この時に、前記第一ファスナーの前記第一内スライダー引手が新たな外スライダー引手となり、前記第一内スライダー引手により前記第一ファスナーを締める。この際に、前記前幅及び前記後ろ幅の下部が完全に折り畳んだ上部に覆われて、前記バッグ本体の下部の内部位置は変わらないが、前記前幅及び前記後ろ幅の上部が折り畳まれてから、その内側が新たな表面となり、前記第一開口部が半製品の底部となる。さらに、前記第一開口部の両端を支点とし、前記第一開口部を下から上へと押し、前記バッグ本体の下部の内側を袋口に通して外返すことで、前記バッグ本体の下部の内側が新たなバッグの外側となり、前記前幅及び前記後ろ幅の上部の内側が新たな内張りとなり、またバッグの形状を調整すればいい。なお、需要によって前記ワンショルダーストラップ又は前記ハンドルを設けることで、ワンショルダーバッグ又は片掛け式のバッグになれるため、使用時に自在に変更できるので、より簡単に使用できる。
【０００９】
いくつかの実施の形態では、前記バッグ本体の内部では、前記第一開口部の両端の点を結ぶ直線からなる水平の基準線又はその基準線より低い位置に第一パイピングが横向きに設けられる。これにより、本考案ではより簡単にワンショルダーバッグ又は片掛け式のバッグに変形でき、且つ折り畳まれてから前記第一パイピングが新たな袋口となる。
【００１０】
いくつかの実施の形態では、前記後ろ幅の内部には前記第一パイピングの下方に位置する第二袋部材が設けられる。これにより、本考案の多変バッグの容量が増加できる。
【００１１】
いくつかの実施の形態では、前記第二袋部材の内側には袋フタが設けられ、前記バッグ本体の内部にはワンショルダーストラップが設けられ、前記ワンショルダーストラップの両端は接合部材により第一開口部の両端の点の下方に設けられる。そこで、前記袋フタにより、リュックタイプのバッグをワンショルダーバッグに変形した場合に外観的に良くなり、携帯されるものが落ちにくくなる。ワンショルダーストラップのデザインでは、携帯するのが便利である。
【００１２】
いくつかの実施の形態では、前記前幅及び前記後ろ幅の内部にハンドルが設けられ、前記ハンドルは前記接合部材により前記第一パイピングの下方に設けられる。そこで、片掛け式のバッグに変形した場合に、前記ハンドルにより、携帯するのが便利になる。
【００１３】
いくつかの実施の形態では、前記接合部材はスーツケース・バッグバックル、ハンドバッグバックル、スプリングフック、スナップフック、ナスカン、若しくは他の接合部材である。
【００１４】
いくつかの実施の形態では、前記柔軟性材料はナイロン、テリレン若しくは他の柔軟性材料である。
【００１５】
いくつかの実施の形態では、さらにハンドルを備え、前記ハンドルは前記第一袋部材の内部の最上部に設けられる。そこで、前記第一袋部材の内部の底部に前記ハンドルが設けられるため、本考案の多変バッグがハンドバッグに変形した場合に便利に使用できる。
【００１６】
いくつかの実施の形態では、前記前幅の内部には前記第一パイピングの下方に位置する2つ第三袋部材が設けられる。これにより、本考案の多変バッグの容量が増加できる。
【００１７】
いくつかの実施の形態では、前記バッグ本体にはさらにスリットポケットが設けられ、前記スリットポケットは前記第一開口部の両端の下方に設けられる。これにより、本考案の多変バッグの容量が増加できる。
【考案の効果】
【００１８】
以上の説明から明らかなように、本考案にあっては次に列挙する効果が得られる。
（1）本考案ではより簡単にワンショルダーバッグ又は片掛け式のバッグに変形できるため、使用時に自在に変更できるので、より簡単に使用できる。
【００１９】
（2）本考案の多変バッグでは第二袋部材、第三袋部材、スリットポケットにより、容量が増加できる。
【００２０】
（3）前記袋フタにより、リュックタイプのバッグをワンショルダーバッグに変形した場合に外観的に良くなり、携帯されるものが落ちにくくなる。ワンショルダーストラップのデザインでは、携帯するのが便利である。
【００２１】
（4）片掛け式のバッグに変形した場合に、前記ハンドルにより、携帯するのが便利になる。
【図面の簡単な説明】
【００２２】
【図１】本考案の第1の実施の形態に係る多変バッグの初期状態での構造を示す斜視図
【図２】図1の部分変形の構造を示す斜視図
【図３】図1のもう一つの部分変形の構造を示す説明図
【図４】図1の多変バッグがハンドバッグに変形した状態を示す説明図
【図５】図1の多変バッグがワンショルダーバッグに変形した状態を示す説明図
【図６】図5のワンショルダーバッグの内部構造を示す斜視図
【図７】本考案の第2の実施の形態に係る多変バッグの初期状態での構造を示す斜視図
【図８】図7の部分変形の構造を示す斜視図
【図９】図7のもう一つの部分変形の構造を示す説明図
【図１０】図7の多変バッグがハンドバッグに変形した状態を示す説明図
【図１１】図7の多変バッグが片掛け式のバッグに変形した状態を示す説明図
【考案を実施するための形態】
【００２３】
以下、本考案の実施の形態について、図面を参照して詳細に説明する。
【００２４】
（実施の形態1）
図1ないし図6に示すように、本考案の第1の実施の形態に係る多変バッグは、折り畳みやすい柔軟性材料から成るバッグ本体1、ワンショルダーストラップ7及びリュックタイプのストラップ8を備え、前記柔軟性材料はナイロンである。前記バッグ本体1にはその中央部から上方へと開放する第一開口部2が設けられ、前記第一開口部2の両辺には前記第一開口部2を自在に開閉できる第一ファスナー3が設けられる。本実施の形態では、前記第一ファスナー3は縫い糸により前記第一開口部2の両側に固定されるものの、他の実施の形態ではさらに接着剤により固定されても良い。前記第一ファスナー3はその正面に前記バッグ本体1の外側からファスナーを締める第一外スライダー引手31が設けられ、その反面に前記バッグ本体1の内側からファスナーを締める第一内スライダー引手32が設けられる。前記バッグ本体1にはさらにスリットポケット13が設けられ、前記スリットポケット13は前記第一開口部2の両端の下方に設けられる。これにより、本考案の多変バッグの容量が増加できる。前記バッグ本体1は前記第一ファスナー3により前幅11と後ろ幅12に区分され、前記前幅11の下方には折り畳んだ前記バッグ本体1を収納できる第一袋部材4が設けられ、前記第一袋部材4の内部の最上部にハンドル43が設けられ、前記第一袋部材4には横向きの第二開口部41が設けられ、前記第二開口部41の両辺には前記第二開口部4を自在に開閉できる第二ファスナー42が設けられる。本実施の形態では、前記第二ファスナー42は縫い糸により前記第二開口部41の両端に固定され、他の実施の形態ではさらに接着剤により固定されても良い。前記第二ファスナー42はその正面に前記第一袋部材4の外側からファスナーを締める第二外スライダー引手421が設けられ、その反面に前記第一袋部材4の内側からファスナーを締める第二内スライダー引手422が設けられる。リュックタイプストラップ8は縫い糸により前記バッグ本体1の前記後ろ幅12に固定される。前記バッグ本体1の内部では、前記第一開口部2の両端の点を結ぶ直線からなる水平の基準線又はその基準線より低い位置に第一パイピング5が横向きに設けられる。前記後ろ幅12の内部には前記第一パイピング5の下方に位置する第二袋部材6が設けられる。前記前幅11の内部には前記第一パイピング5の下方に位置する2つ第三袋部材9が設けられる。前記バッグ本体1の内部には前記第一開口部2の両端の下方に位置する2つの接合部材15が設けられ、前記接合部材15はナスカンであり、前記ワンショルダーストラップ7は前記接合部材15により前記バッグ本体1と連接される。前記第二袋部材6の内側には袋フタ61が設けられる。
【００２５】
図1に示すように、本考案の第1種類の形態でのリュックタイプのバッグは本実施の形態の初期状態である。リュックタイプのバッグの状態では、前記ワンショルダーストラップ7が前記第二袋部材6の内部に入れ置かれる。
【００２６】
リュックタイプの多変バッグをハンドバッグに変形する過程は以下のようになる。まず、リュックタイプの前記バッグ本体1を引っ繰り返し、前記後ろ幅12を上に向け、前記バッグ本体1の両側及び下端を折り畳むことで、前記バッグ本体1のサイズを前記第一袋部材4のサイズと一致するようにする。そして、前記第二開口部41の両端を支点とし、前記バッグ本体1の上部を折り畳んで下端と重ねあい、前記第二ファスナー42を開き、前記第一袋部材4の底部を下から上へと押し、前記第一袋部材4の内張りを前記第一袋部材4の袋口を通して外返して新たな表面に形成させる。前記第一袋部材4は縫い糸により前記バッグ本体1の底部に固定されるため、前記第一袋部材4の底部を袋口に通すと、前記第一袋部材4の元の表面が新たな内張りとなる。そして前記バッグ本体1の底部も前記第一袋部材4の底部に従って、前記バッグ本体1が完全に前記第一袋部材4の内部に陥るまで、前記第一袋部材4の新たな内張りに陥る。最後に、前記第二開口部41の上端を引っ繰り返すことで、前記第二ファスナー42の前記第二内スライダー引手422が新たな外スライダー引手となる。この時に、前記第一袋部材4の内張りがハンドバッグの表面となり、また前記第二ファスナー42を締めると、図4に示すようなハンドバッグに変形できる。
【００２７】
本考案の多変バッグではさらにリュックタイプのバッグをワンショルダーバッグに変形できる。その変形過程は以下のようになる。まず、前記第二袋部材6に入れ置いた前記ワンショルダーストラップ7を出し、そして前記第一ファスナー3を開き、前記第一開口部2の両端を支点とし、図2に示すように、前記バッグ本体1の前記前幅11の上部を前記前幅11の下部へと折り畳むことで、前記前幅11の上部と下部を重ね合わせる。そして、前記後ろ幅12の上部を前記後ろ幅12の下部へと折り畳むことで、前記後ろ幅12の上部と下部を重ね合わせる。この時に、前記第一ファスナー3の前記第一内スライダー引手32が新たな外スライダー引手となり、前記第一内スライダー引手32により前記第一ファスナー3を締める。また、図3に示すように、このような状態で前記第一ファスナー3をしめたあと、前記前幅11及び前記後ろ幅12の下部が完全に折り畳んだ上部に覆われて、前記バッグ本体1の下部の内部位置は変わらないが、前記前幅11及び前記後ろ幅12の上部が折り畳まれてから、その内側が新たな表面となり、前記第一開口部2がこの状態での前記バッグ本体1の底部となる同時に、前記第一開口部2の両端の点を結ぶ直線からなる水平の基準線に位置する前記第一パイピング5は新たな袋口となる。さらに、前記第一開口部2の両端を支点とし、前記第一開口部2を下から上へと押し、前記バッグ本体1の下部の内側を袋口に通して外返すことで、前記バッグ本体1の下部の内側が新たなバッグの外側となり、前記前幅11及び前記後ろ幅12の上部の内側が新たな内張りとなり、またバッグの形状を調整し、さらに前記ワンショルダーストラップ7を前記接合部材15により連接させると、図6に示すようなワンショルダーバッグに変形できる。
【００２８】
本考案の多変バッグは、初期状態ではリュックタイプでありながら、前記第一袋部材4により手提げ式のバッグに変形できる。そこで、バッグを使用しない又は携帯する場合には、バッグが占めるスペースを削減できるだけでなく、携帯するのも便利である。また、多変バッグの前記バッグ本体1をワンショルダーバッグに変形できるため、多変バッグの実用性を向上させる。また、前記バッグ本体1はナイロンにより製造されるため、ナイロン製の多変バッグは柔軟性がより高くて変形時により折り畳みやすくなる。
【００２９】
（実施の形態2）
図7ないし図11に示すように、本考案の第2の実施の形態に係る多変バッグは、折り畳みやすい柔軟性材料から成るバッグ本体1、リュックタイプストラップ8及びハンドル14を備え、前記柔軟性材料はテリレンである。前記バッグ本体1にはその中央部から上方へと開放する第一開口部2が設けられ、前記第一開口部2の両辺には前記第一開口部2を自在に開閉できる第一ファスナー3が設けられる。本実施の形態では、前記第一ファスナー3は縫い糸により前記第一開口部2の両側に固定されるものの、他の実施の形態ではさらに接着剤により固定されても良い。前記第一ファスナー3はその正面に前記バッグ本体1の外側からファスナーを締める第一外スライダー引手31が設けられ、その反面に前記バッグ本体1の内側からファスナーを締める第一内スライダー引手32が設けられる。前記バッグ本体1にはさらにスリットポケット13が設けられ、前記スリットポケット13は前記第一開口部2の両端の下方に設けられる。これにより、本考案の多変バッグの容量が増加できる。前記バッグ本体1は前記第一ファスナー3により前幅11と後ろ幅12に区分され、前記前幅11の下方には折り畳んだ前記バッグ本体1を収納できる第一袋部材4が設けられ、前記第一袋部材4の内部の最上部にハンドル43が設けられ、前記第一袋部材4には横向きの第二開口部41が設けられ、前記第二開口部41の両辺には前記第二開口部4を自在に開閉できる第二ファスナー42が設けられる。本実施の形態では、前記第二ファスナー42は縫い糸により前記第二開口部41の両端に固定され、他の実施の形態ではさらに接着剤により固定されても良い。前記第二ファスナー42はその正面に前記第一袋部材4の外側からファスナーを締める第二外スライダー引手421が設けられ、その反面に前記第一袋部材4の内側からファスナーを締める第二内スライダー引手422が設けられる。リュックタイプストラップ8は縫い糸により前記バッグ本体1の前記後ろ幅12に固定される。前記バッグ本体1の内部では、前記第一開口部2の両端の点を結ぶ直線からなる水平の基準線又はその基準線より低い位置に第一パイピング5が横向きに設けられる。前記後ろ幅12の内部には前記第一パイピング5の下方に位置する第二袋部材6が設けられる。前記前幅11の内部には前記第一パイピング5の下方に位置する2つ第三袋部材9が設けられる。前記ハンドル14は前記前幅11及び前記後ろ幅12の内部に設けられ、前記前幅11及び前記後ろ幅12の内部で前記第一パイピング5の下方にそれぞれ2つの接合部材15が設けられ、前記ハンドル14は前記接合部材15により前記バッグ本体1と連接され、前記接合部材15は差込バックルである。前記バッグ本体1の内部の両側にそれぞれ1つの第四袋部材10が設けられる。
【００３０】
図7に示すように、本考案の第1種類の形態でのリュックタイプのバッグは本実施の形態の初期状態である。リュックタイプのバッグの状態では、前記ハンドル14が前記第二袋部材6の内部に入れ置かれる。
【００３１】
リュックタイプの多変バッグをハンドバッグに変形する過程は以下のようになる。まず、リュックタイプの前記バッグ本体1を引っ繰り返し、前記後ろ幅12を上に向け、前記バッグ本体1の両側及び下端を折り畳むことで、前記バッグ本体1のサイズを前記第一袋部材4のサイズと一致するようにする。そして、前記第二開口部41の両端を支点とし、前記バッグ本体1の上部を折り畳んで下端と重ねあい、前記第二ファスナー42を開き、前記第一袋部材4の底部を下から上へと押し、前記第一袋部材4の内張りを前記第一袋部材4の袋口を通して外返して新たな表面に形成させる。前記第一袋部材4は縫い糸により前記バッグ本体1の底部に固定されるため、前記第一袋部材4の底部を袋口に通すと、前記第一袋部材4の元の表面が新たな内張りとなる。そして前記バッグ本体1の底部も前記第一袋部材4の底部に従って、前記バッグ本体1が完全に前記第一袋部材4の内部に陥るまで、前記第一袋部材4の新たな内張りに陥る。最後に、前記第二開口部41の上端を引っ繰り返すことで、前記第二ファスナー42の前記第二内スライダー引手422が新たな外スライダー引手となる。この時に、前記第一袋部材4の内張りがハンドバッグの表面となり、また前記第二ファスナー42を締めると、図10に示すようなハンドバッグに変形できる。
【００３２】
本考案の多変バッグではさらにリュックタイプのバッグを片掛け式のバッグに変形できる。その変形過程は以下のようになる。まず、前記第二袋部材6に入れ置いた前記ハンドル14を出し、そして前記第一ファスナー3を開き、前記第一開口部2の両端を支点とし、図8に示すように、前記バッグ本体1の前記前幅11の上部を前記前幅11の下部へと折り畳むことで、前記前幅11の上部と下部を重ね合わせる。そして、前記後ろ幅12の上部を前記後ろ幅12の下部へと折り畳むことで、前記後ろ幅12の上部と下部を重ね合わせる。この時に、前記第一ファスナー3の前記第一内スライダー引手32が新たな外スライダー引手となり、前記第一内スライダー引手32により前記第一ファスナー3を締める。また、図9に示すように、このような状態で前記第一ファスナー3をしめたあと、前記前幅11及び前記後ろ幅12の下部が完全に折り畳んだ上部に覆われて、前記バッグ本体1の下部の内部位置は変わらないが、前記前幅11及び前記後ろ幅12の上部が折り畳まれてから、その内側が新たな表面となり、前記第一開口部2がこの状態での前記バッグ本体1の底部となる同時に、前記第一開口部2の両端の点を結ぶ直線からなる水平の基準線に位置する前記第一パイピング5は新たな袋口となる。さらに、前記第一開口部2の両端を支点とし、前記第一開口部2を下から上へと押し、前記バッグ本体1の下部の内側を袋口に通して外返すことで、前記バッグ本体1の下部の内側が新たなバッグの外側となり、前記前幅11及び前記後ろ幅12の上部の内側が新たな内張りとなり、またバッグの形状を調整し、さらに前記ハンドル14を前記接合部材15により連接させると、図11に示すような片掛け式のバッグに変形できる。
【００３３】
本考案の多変バッグは、初期状態ではリュックタイプでありながら、前記第一袋部材4により手提げ式のバッグに変形できる。そこで、バッグを使用しない又は携帯する場合には、バッグが占めるスペースを削減できるだけでなく、携帯するのも便利である。また、多変バッグの前記バッグ本体1を片掛け式のバッグに変形できるため、多変バッグの実用性を向上させる。また、前記バッグ本体1はテリレンにより製造されるため、テリレン製の多変バッグは柔軟性がより高くて変形時により折り畳みやすくなる。
【００３４】
（実施の形態3）
本実施の形態に係る多変バッグが第1の実施の形態と異なるところは以下、述べるように、さらにハンドル14を備え、且つ前記前幅11と前記後ろ幅12との内部で前記第一パイピング5の下方に位置するところにはそれぞれ2つの前記接合部材15が設けられ、前記ハンドル14は前記接合部材15によりバッグ本体1の内部と連接され、前記接合部材15は差込バックルであるといったところである。これにより、バッグでは前記ハンドル14及び前記ワンショルダーストラップ7が同時に設けられ、実際に使用する需要によって自在にワンショルダーバッグ或いは片掛け式のバッグに変形できるので、実用性がより高い。この多変バッグの他の構造は、実施の形態1の構造と同様で、同じ機能を実現する。
【００３５】
上述では本考案の好ましい実施例を開示したに過ぎず、それを以って、本考案の実用新案登録請求の範囲が制限されることは無い。この分野の技術者が、本考案の実施の形態を理解したうえ、本考案の思想を逸脱することなくさらに若干な変形と改善ができる。例えば、前記接合部材15は片掛け式のバッグバックル、スプリングフック、スナップフック、ナスカン、若しくは他の接合部材であることや、前記第一パイピング5はさらに前記第一開口部2の両端の点を結ぶ直線からなる水平の基準線より低い位置に設けられることや、前記他の部材の改善など、それらはすべて本考案の範囲に含まれるものである。
【符号の説明】
【００３６】
1  バッグ本体               42  第二ファスナー
11  前幅                    421  第二外スライダー引手
12  後ろ幅                  422  第二内スライダー引手
13  スリットポケット        43  手提げハンドル
14  ハンドル                5  第一パイピング
15  接合部材                6  第二袋部材
2  第一開口部               61  袋フタ
3  第一ファスナー           7  ワンショルダーストラップ
31  第一外スライダー引手    8  リュックタイプストラップ
32  第一内スライダー引手    9  第三袋部材
4  第一袋部材               10  第四袋部材
41  第二開口部
【図１】
0003182327.tif 000003
【図２】
0003182327.tif 000004
【図３】
0003182327.tif 000005
【図４】
0003182327.tif 000006
【図５】
0003182327.tif 000007
【図６】
0003182327.tif 000008
【図７】
0003182327.tif 000009
【図８】
0003182327.tif 000010
【図９】
0003182327.tif 000011
【図１０】
0003182327.tif 000012
【図１１】
0003182327.tif 000013